(57)【特許請求の範囲】
【請求項１】
投影面に画像を投影する投影部と、
載置面の振動を検出する検出部と、
前記検出部により検出される前記振動に基づいて、前記画像の投影方向に対する前記振動を発生させた振動源の方向を特定する特定部と、
前記投影部によって前記画像が投影されている際に、前記特定部により特定された前記振動源の方向に基づいて、前記投影部によって投影される前記画像の切り換え方法を異ならせる制御を行う制御部とを備える
ことを特徴とする投影装置。
【請求項２】
前記制御部は、前記特定部により特定された前記振動源の方向が、分割された複数の所定領域のいずれに含まれるかに基づいて、前記投影部によって投影される前記画像の切り換え方法を異ならせる制御を行う
ことを特徴とする請求項１に記載の投影装置。
【請求項３】
前記制御部は、複数の前記所定領域のうち、少なくとも異なる２つの前記所定領域で前記振動源の方向が特定された場合、前記所定領域が特定された順序に基づいて、前記投影部によって投影される前記画像の切り換え方法を異ならせる制御を行う
ことを特徴とする請求項２に記載の投影装置。
【請求項４】
前記投影部を収容し、前記投影方向に前記画像を投影させる筐体を備え、
前記投影部は、前記載置面に前記画像を投影する
ことを特徴とする請求項１から請求項３のいずれか一項に記載の投影装置。
【請求項５】
前記検出部は、少なくとも第１検出部と第２検出部とを含み、
前記特定部は、前記第１検出部と前記第２検出部とで検出された値に基づいて、前記投影方向に対する前記振動源の方向の特定を行う
ことを特徴とする請求項１から請求項４のいずれか一項に記載の投影装置。
【請求項６】
前記特定部は、前記第１検出部と前記第２検出部とで検出された値の強度比に基づいて、前記投影方向に対する前記振動源の方向の特定を行う
ことを特徴とする請求項５に記載の投影装置。
【請求項７】
前記制御部は、前記投影部によって前記画像が投影されていない場合、前記検出部によって検出された前記振動に基づいて、前記投影部に対する制御を行う
ことを特徴とする請求項１から請求項６のいずれか一項に記載の投影装置。
【請求項８】
前記検出部において検出された前記振動が所定の種類の振動であるか否かを判別する判別部を備え、
前記制御部は、前記判別部により前記振動が前記所定の種類の振動であると判別された場合に、前記投影部に対する制御を行う
ことを特徴とする請求項１から請求項７のいずれか一項に記載の投影装置。
【請求項９】
前記検出部は、加速度を検出する加速度センサを含み、
前記制御部は、前記加速度センサによって検出された加速度の値が所定の閾値を超えた時から所定の期間内に０になった回数に基づいて前記投影部に対する制御を行う
ことを特徴とする請求項１から請求項８のいずれか一項に記載の投影装置。
【請求項１０】
前記検出部は、加速度を検出する加速度センサを含み、
前記加速度センサにより検出された前記加速度を周波数解析することにより前記振動の周波数成分を検出する周波数解析部を備え、
前記制御部は、前記周波数成分において、所定の周波数が最大値となった場合に前記投影部に対する制御を行う
ことを特徴とする請求項１から請求項８のいずれか一項に記載の投影装置。
【発明の詳細な説明】
【技術分野】
【０００１】
本発明は、表示装置に関するものである。
【背景技術】
【０００２】
打指により操作を行う装着型コマンド入力装置が知られている（例えば、特許文献１参照）。
【先行技術文献】
【特許文献】
【０００３】
【特許文献１】特開２０００−３２２１８６号公報
【発明の概要】
【発明が解決しようとする課題】
【０００４】
しかし、上述の装着型コマンド入力装置においては、装置を人体につけなければ操作を行うことができなかった。
【０００５】
本発明の目的は、筺体の載置面を叩くことにより発生する振動の種類を判別して操作を行うことができる表示装置を提供することである。
【課題を解決するための手段】
【０００６】
本発明の投影装置は、投影面に画像を投影する投影部と、載置面の振動を検出する検出部と、前記検出部により検出される前記振動に基づいて、前記画像の投影方向に対する前記振動を発生させた振動源の方向を特定する特定部と、前記投影部によって前記画像が投影されている際に、前記特定部により特定された前記振動源の方向に基づいて、前記投影部によって投影される前記画像の切り換え方法を異ならせる制御を行う制御部とを備えることを特徴とする。
【発明の効果】
【０００７】
本発明の表示装置によれば、筺体の載置面を叩くことにより発生する振動の種類を判別して操作を行うことができる。
【図面の簡単な説明】
【０００８】
【図１】第１の実施の形態に係るプロジェクタの投影状態を示す斜視図である。
【図２】第１の実施の形態に係るプロジェクタの構成を示すブロック図である。
【図３】第１の実施の形態に係るプロジェクタにおける加速度センサの配置位置を示す図である。
【図４】第１の実施の形態に係るプロジェクタにおいて操作を実行するまでの処理を示すフローチャートである。
【図５】第１の実施の形態に係るプロジェクタにおいて検出した加速度の強度を示す波形図である。
【図６】第１の実施の形態に係るプロジェクタにおいて検出した加速度の値を周波数解析して求められた周波数ごとの強度を示す図である。
【図７】第２の実施の形態に係るプロジェクタにおける加速度センサの配置位置を示す図である。
【図８】第２の実施の形態に係るプロジェクタにおいて操作を実行するまでの処理を示すフローチャートである。
【図９】第２の実施の形態に係るプロジェクタにおいて検出した加速度の強度を示す波形図である。
【図１０】第２の実施の形態に係るプロジェクタにおいて検出した加速度の強度を示す波形図である。
【図１１】第２の実施の形態に係るプロジェクタにおいて検出した加速度の強度を示す波形図である。
【図１２】第３の実施の形態に係るプロジェクタにおける加速度センサの配置位置を示す図である。
【図１３】第３の実施の形態に係るプロジェクタにおいて操作を実行するまでの処理を示すフローチャートである。
【図１４】第３の実施の形態に係るプロジェクタにおいて検出した加速度の強度を示す波形図である。
【図１５】第３の実施の形態に係るプロジェクタの投影状態及び操作エリアを示す図である。
【図１６】第３の実施の形態に係るプロジェクタの投影状態及び操作状態を示す斜視図である。
【図１７】第３の実施の形態に係るプロジェクタにおいて検出した加速度の強度を示す波形図である。
【図１８】第３の実施の形態に係るプロジェクタの投影状態及び操作状態を示す斜視図である。
【発明を実施するための形態】
【０００９】
以下、図面を参照して本発明の第１の実施の形態に係るプロジェクタについて説明する。図１は、第１の実施の形態に係るプロジェクタ２の投影状態を示す斜視図である。プロジェクタ２の筐体４は、机６の載置面Ｇに載置され、筐体４の前面には、載置面Ｇに対して投影画像８の投影を行うための投影窓１０が設けられている。このプロジェクタ２の操作は、指１２で載置面Ｇを叩くことにより行われる。
【００１０】
図２は、第１の実施の形態に係るプロジェクタ２の構成を示すブロック図である。プロジェクタ２はＣＰＵ２０を備え、ＣＰＵ２０には、机６の載置面Ｇの法線方向の加速度を検出する加速度センサ２４、投影画像８を載置面Ｇに投影する投影部２６、投影部２６により投影される投影画像８の画像データに対して台形補正等を行う画像処理部３６、投影画像８等の種々のデータを記憶するメモリカード３８が接続されている。ここで、投影部２６は、光源であるＬＥＤ光源２８の点灯、消灯及びＬＥＤ光源２８から射出される投影光の光量を調節する電源制御部３０、投影画像８を表示するＬＣＯＳ３２の制御を行う投影制御部３４を備えている。
【００１１】
図３は、第１の実施の形態に係るプロジェクタ２における加速度センサ２４の配置位置を示す図である。加速度センサ２４は、筐体４の底面に配置され、直接机６に接触している。これにより、加速度センサ２４は、筐体４に作用する加速度の中で机６の載置面Ｇの法線方向１４に作用する加速度を検出する。
【００１２】
次に、図４のフローチャートを参照して第１の実施の形態に係るプロジェクタ２において操作を実行するまでの処理について説明する。まず、筐体４が机６の載置面Ｇに載置され、筐体４に作用する加速度の中で操作を実行するための加速度を検出する検出モードに移行すると（ステップＳ１）、ＣＰＵ２０は、検出した加速度の検出値の強度が所定の閾値を超えたか否かの判定を行う（ステップＳ２）。例えば、検出モードに移行した状態において、載置面Ｇが一回叩かれた場合、図５に示すように、加速度の強度の波形は上下方向に大きく振動する。ここで、ＣＰＵ２０は、この加速度の強度が閾値である＋Ｔｈ１を超えたか否かの判定を行う。なお、法線方向１４と波形図の方向（＋方向及び−方向）は一致している。
【００１３】
加速度の強度が所定の閾値を超えなかった場合には（ステップＳ２：Ｎｏ）、判定を繰り返し、加速度の強度が所定の閾値を超えた場合（ステップＳ２：Ｙｅｓ）、ＣＰＵ２０は、加速度の強度が所定の閾値を超えた直後の所定の期間において０になった回数をカウントする（ステップＳ３）。ここで、図５において、実線は載置面Ｇが指１２で叩かれた場合の加速度の強度の波形を、破線は載置面Ｇが指１２以外の、例えば、肘やペン等で叩かれた場合の加速度の強度の波形を示す。載置面Ｇが指１２で叩かれた場合は、実線が閾値＋Ｔｈ１を超えた直後のｔ１の期間において０になる回数を８回（図５実線参照）、載置面Ｇが指１２以外で叩かれた場合は、０になる回数を６回のようにカウントする（図５破線参照）。
【００１４】
次に、ＣＰＵ２０は、カウントした回数が予め設定されている所定の回数を超えたか否かの判定を行う（ステップＳ４）。ここで、所定の回数は、予め載置面Ｇを叩いて行われた実験結果等に基づいて設定される。カウントした回数が所定の回数以下であった場合には、（ステップＳ４：Ｎｏ）、ステップＳ２〜ステップＳ４の操作を繰り返し、所定の回数を超えた場合には（ステップＳ４：Ｙｅｓ）、ＣＰＵ２０は、プロジェクタ２の操作を実行する（ステップＳ５）。
【００１５】
例えば、加速度の強度が０になる回数が７回と設定されていたとする。この場合、図５において、載置面Ｇが指１２以外で叩かれた場合にカウントした回数が６回であるため、ＣＰＵ２０は、ステップＳ２〜ステップＳ４の操作を繰り返す。一方、載置面Ｇが指１２で叩かれた場合は、カウントした回数が８回であるため、ＣＰＵ２０は、投影部２６に投影開始の指示を行い、メモリカード３８から画像データを読み出して、投影制御部３４により画像データに基づく画像をＬＣＯＳ３２に表示する。また、電源制御部３０は、投影開始の指示により、ＬＥＤ光源２８から射出される光を予め設定された所定の輝度に調整して点灯し、図１に示すように投影窓１０から所定の角度で斜下方向に投影光を射出し、載置面Ｇ上に投影画像８を表示する。
【００１６】
この第１の実施の形態に係るプロジェクタ２によれば、筺体４の載置面Ｇを叩くことにより発生する振動の種類を判別してプロジェクタ２の操作を行うことができる。また、載置面Ｇを叩くことにより、筺体４に直接触れず、かつ、リモコンなどの操作用の機器を用いずにプロジェクタ２の操作を行うことができる。また、載置面Ｇに表示される投影画像８のサイズや方向に影響されず操作を行うことができる。また、予め設定する加速度の強度が０になる回数を、バイブレータ等の振動発生装置を載置面Ｇで振動させて行われた実験結果等に基づいて設定することもできる。これにより、例えば、携帯電話などにより載置面Ｇに振動を発生させた場合にプロジェクタ２の操作を行うようにすることができる。
【００１７】
なお、上述の第１の実施の形態においては、加速度の強度が０になった回数が所定の回数を超えた場合にプロジェクタ２の操作を行っているが、加速度センサ２４によって検出した加速度の強度を周波数解析する周波数解析部を備え、所定の周波数が最大値となった場合にプロジェクタ２の操作を行うようにしてもよい。例えば、図６は、周波数解析部により加速度の値を周波数解析して求められた周波数ごとの強度を示す図であるが、図６に示すように周波数ｆ１の近傍の周波数が最大値となった場合にプロジェクタ２の操作を行うようにしてもよい。また、最大値となる周波数がｆ１よりも高周波であり、この最大値の強度が所定の閾値Ｔｈ０を超えた場合にプロジェクタ２の操作を行うようにしてもよい。
【００１８】
次に、図面を参照して本発明の第２の実施の形態に係るプロジェクタについて説明する。この第２の実施の形態に係るプロジェクタ２００は、第１の実施の形態に係るプロジェクタ２における加速度センサ２４に、筐体４に作用する加速度の中で机６の載置面Ｇの法線方向１４に直交する方向（以下、水平方向という。）に作用する加速度を検出する機能を付加したものである。従って、第１の実施の形態と同一の構成についての詳細な説明は省略し、異なる部分のみについて詳細に説明する。また、第１の実施の形態と同一の構成には同一の符号を付して説明する。
【００１９】
図７は、第２の実施の形態に係るプロジェクタ２００における加速度センサ２４の配置位置を示す平面図である。図７に示すように、加速度センサ２４は、筐体４に作用する加速度の中で机６の載置面Ｇの法線方向１４に作用する加速度に加えて、水平方向１６に作用する加速度を検出する。
【００２０】
次に図８のフローチャートを参照して第２の実施の形態に係るプロジェクタ２００において操作を実行するまでの処理について説明する。まず、筐体４が机６の載置面Ｇに載置され、筐体４に作用する加速度の中で操作を実行するための加速度を検出する検出モードに移行すると（ステップＳ１１）、ＣＰＵ２０は、検出した加速度の強度が所定の閾値を超えたか否かの判定を行う（ステップＳ１２）。例えば、検出モードに移行した状態において、載置面Ｇが指１２で一回叩かれた場合、図９に示すように、加速度の強度の波形は上下方向に大きく振動する。ここで、ＣＰＵ２０は、法線方向１４及び水平方向１６に作用する加速度の強度が閾値＋Ｔｈ２を超えたか否かの判定を行う。
【００２１】
法線方向１４及び水平方向１６に作用する加速度の強度の少なくとも一つが閾値＋Ｔｈ２を超えなかった場合には（ステップＳ１２：Ｎｏ）、ＣＰＵ２０は、判定を繰り返す（ステップＳ１２）。ここで、図９において、実線は法線方向１４に作用する加速度の強度の波形を、破線は水平方向１６に作用する加速度の強度の波形を示す。なお、法線方向１４及び水平方向１６と波形図の方向（＋方向及び−方向）は一致している。
【００２２】
図９に示すように、法線方向１４及び水平方向１６に作用する加速度の強度が共に閾値＋Ｔｈ２を超えた場合（ステップＳ１２：Ｙｅｓ）、ＣＰＵ２０は、プロジェクタ２００の操作を実行する（ステップＳ１３）。例えば、載置面Ｇが指１２で叩かれ、法線方向１４及び水平方向１６に作用する加速度の強度が共に閾値＋Ｔｈ２を超えた場合、ＣＰＵ２０は、投影部２６に投影開始の指示を行い、メモリカード３８から画像データを読み出して、投影制御部３４により画像データに基づく画像をＬＣＯＳ３２に表示する。また、電源制御部３０は、投影開始の指示により、ＬＥＤ光源２８から射出される光を予め設定された所定の輝度に調整して点灯し、図１に示すように投影窓から所定の角度で斜下方向に投影光を射出し、載置面Ｇ上に投影画像８を表示する。
【００２３】
一方、図１０は、載置面Ｇが指１２以外で叩かれた場合における加速度の強度の波形を示す図である。図１０において、法線方向１４に作用する加速度の強度（実線で示す波形）が閾値＋Ｔｈ２を超えていても、水平方向１６に作用する加速度の強度（破線で示す波形）は閾値＋Ｔｈ２以下である。このような場合には、法線方向１４及び水平方向１６に作用する加速度の強度が共に閾値＋Ｔｈ２を超えないため、ステップＳ１２の判定が繰り返される（ステップＳ１２：Ｎｏ）。
【００２４】
この第２の実施の形態に係るプロジェクタ２００によれば、筺体４の載置面Ｇを指１２で叩くことにより発生する振動の種類を判別してプロジェクタ２の操作を行うことができる。
【００２５】
なお、上述の第２の実施の形態においては、法線方向１４及び水平方向１６に作用する加速度の強度が共に閾値を超えた場合にプロジェクタ２００の操作を実行しているが、更に所定の条件を満たす場合に操作を実行するようにしてもよい。例えば、図９に示すように、法線方向１４及び水平方向１６に作用する加速度の強度が共に閾値＋Ｔｈ２を超えた後の期間ｔ３において、法線方向１４に作用する加速度の強度の最大値が、水平方向１６に作用する加速度の強度の最大値よりも大きい場合にプロジェクタ２００の操作を実行するようにしてもよい。また、期間ｔ３において、水平方向１６に作用する加速度の強度の最大値に対して、法線方向１４に作用する加速度の強度の最大値が所定の割合を超えて大きい場合には、プロジェクタ２００の操作を実行するようにしてもよい。例えば、水平方向１６に作用する加速度の強度の最大値に対して、法線方向１４に作用する加速度の強度の最大値が所定の割合が１００％を超えた場合にプロジェクタ２００の操作を実行するようにしてもよい。
【００２６】
また、水平方向１６に作用する加速度の強度が所定の閾値を超えた場合には、プロジェクタ２００の操作を中止するようにしてもよい。例えば、図１１は、机６が横から肘などで叩かれた場合における加速度の強度を示す波形図であるが、プロジェクタ２００の操作が行われている時に水平方向１６に作用する加速度の強度が、予め設定された閾値−Ｔｈ３を超えた場合には、プロジェクタ２００の操作を中止するようにしてもよい。また、水平方向１６に作用する加速度の強度が閾値−Ｔｈ３を超えた場合には、後に法線方向１４及び水平方向１６に作用する加速度の強度が共に閾値＋Ｔｈ２を超えた場合であっても（図９参照）、プロジェクタ２００の操作を実行しないようにしてもよい。
【００２７】
次に、図面を参照して本発明の第３の実施の形態に係るプロジェクタについて説明する。この第３の実施の形態に係るプロジェクタ２０２は、第１の実施の形態に係るプロジェクタ２における加速度センサを筐体４に二個配置したものである。従って、第１の実施の形態と同一の構成についての詳細な説明は省略し、異なる部分のみについて詳細に説明する。また、第１の実施の形態と同一の構成には同一の符号を付して説明する。
【００２８】
図１２は、第３の実施の形態に係るプロジェクタ２０２における加速度センサ４６及び４８の配置位置を示す平面図である。図１２に示すように、加速度センサ４６及び４８は、筐体４の底面の両側部に配置されている。このように、加速度センサを筐体４の底面に二個配置することにより、載置面Ｇが指１２で叩かれた場合における振動源の位置の方向（以下、振動源の方向という。）を特定することが可能となる。
【００２９】
次に図１３のフローチャートを参照して第３の実施の形態に係るプロジェクタ２０２において操作を実行するまでの処理について説明する。まず、筐体４が机６の載置面Ｇに載置され、筐体４に作用する加速度の中で操作を実行するための加速度を検出する検出モードに移行すると（ステップＳ２１）、ＣＰＵ２０は、検出した加速度の強度が所定の閾値を超えたか否かの判定を行う（ステップＳ２２）。例えば、検出モードに移行した状態において、載置面Ｇが指１２で叩かれ場合、図１４に示すように、加速度の強度の波形は上下方向に大きく振動する。ここで、ＣＰＵ２０は、加速度センサ４６または、加速度センサ４８のうちの少なくとも一つにおいて法線方向１４に作用する加速度の強度が、閾値＋Ｔｈ５を超えたか否かの判定を行う。なお、図１４において、実線は加速度センサ４６において検出した法線方向１４に作用する加速度の強度（以下、加速度センサ４６の強度という。）の波形を、破線は加速度センサ４８において検出した法線方向１４に作用する加速度の強度（以下、加速度センサ４８の強度という。）の波形を示す。
【００３０】
加速度センサ４６の強度及び加速度センサ４８の強度のいずれもが閾値＋Ｔｈ５以下であった場合には（ステップＳ２２：Ｎｏ）、判定を繰り返し（ステップＳ２２）、加速度センサ４６の強度及び加速度センサ４８の強度の少なくとも一つが閾値＋Ｔｈ５を超えた場合（ステップＳ２２：Ｙｅｓ）、ＣＰＵ２０は、載置面Ｇが指１２で叩かれた方向を特定する（ステップＳ２３）。例えば、図１４に示すように、加速度センサ４６の強度が閾値＋Ｔｈ５を超えた直後の期間ｔ４において、加速度センサ４６の強度の最大値と、加速度センサ４８の強度の最大値との強度比を算出し、強度比に基づいて振動源の方向を特定する。
【００３１】
即ち、図１５を例に説明すると、加速度センサ４８の強度（図１４に示す破線の波形）の最大値を分母とし、加速度センサ４６の強度（図１４に示す実線の波形）の最大値を分子とした場合の値（以下、強度比という。）が１０５％〜９５％の範囲内である場合、ａのエリアが振動源の方向である、などのように特定する。同様にして、強度比が１０６％〜１１０％の範囲内である場合、振動源の方向はｂのエリアであり、強度比が１１１以上である場合、振動源の方向はｃのエリアであり、強度比が９０％〜９４％の範囲内である場合、振動源の方向はｄのエリアであり、強度比が８９％以下である場合、振動源の方向はｅのエリアである、などのように特定する。
【００３２】
次に、ＣＰＵ２０は、特定した振動源の方向に応じてプロジェクタ２０２の操作を実行する（ステップＳ２４）。例えば、投影画像８が載置面Ｇに表示されている場合において、プロジェクタ２０２の正面方向が指１２で叩かれた場合、ａのエリアが振動源の方向として特定され、ＣＰＵ２０は投影部２６による投影画像８の投影を中止する。同様にして、載置面Ｇにおいて投影画像８の一角である（１）の位置が指１２で叩かれた場合、ｂのエリアが振動源の方向と特定され次の画像の投影を行い、（２）の位置が指１２で叩かれた場合、ｄのエリアが振動源の方向と特定され前の画像の投影を行う。また、（４）の位置が指１２で叩かれた場合、ｃのエリアが振動源の方向として特定され二つ先の画像を表示し、（３）の位置が指１２で叩かれた場合、ｅのエリアが振動源の方向として特定され二つ前の画像を表示する。
【００３３】
この第３の実施の形態に係るプロジェクタ２０２によれば、筺体４の載置面Ｇを指１２で叩くことにより発生する振動の発生源を判別してプロジェクタ２０２の操作を行うことができる。これにより、投影画像８の表示位置をめやすに載置面Ｇを指１２で叩くことにより、プロジェクタ２０２を操作することができる（図１５（１）〜（４）参照）。また、プロジェクタ２０２を載置する位置やプロジェクタ２０２の向きを変えることにより、指１２で叩く位置を任意に変更することができる。例えば、図１５において、（１）の位置を指１２で叩いてプロジェクタ２０２の操作を行おうとする場合、プロジェクタ２０２を載置する位置やプロジェクタ２０２の向きを変えることにより、任意に机６上における（１）の位置を変更することができる。
【００３４】
なお、上述の第３の実施の形態において、投影画像８が表示されていない場合には、振動源の方向によらずにプロジェクタ２０２の操作を行うようにしてもよい。例えば、検出モードにおいて加速度の強度が所定の閾値を超えた場合、ＣＰＵ２０は、投影部２６に投影開始の指示を行うことにより載置面Ｇに投影画像８を表示するようにしてもよい。これにより、投影画像８が表示されていない場合には、指１２で叩くエリアによらず投影画像８を表示することができる。
【００３５】
また、上述の第３の実施の形態においては、一つのエリアが指１２で叩かれた場合に一つの操作を行っているが、複数のエリアが連続して指１２で叩かれた場合に、叩かれたエリアの順序に応じて一つの操作を行うようにしてもよい。例えば、図１６に示すように、投影画像８が表示されている場合において、所定の時間内において（１）→（２）の位置の順で載置面Ｇが指１２で叩かれた場合には次の画像を表示し、（２）→（１）の位置の順で載置面Ｇが指１２で叩かれた場合には前の画像を表示するようにしてもよい。同様に、（１）→（２）→（１）→（２）の位置の順で載置面Ｇが指１２で叩かれた場合にはスライドショー表示を開始し、（１）→（２）→（３）の位置の順で載置面Ｇが指１２で叩かれた場合には最初の画像を表示し、（３）→（２）→（１）の位置の順で載置面Ｇが指１２で叩かれた場合には最後の画像を表示するようにしてもよい。
【００３６】
また、上述の第３の実施の形態においては、振動源の方向に応じてプロジェクタ２０２の操作を行っているが、加速度の強度の波形のパターンに応じた操作を行うようにしてもよい。例えば、検出モードにおいて載置面Ｇが連続して指１２で叩かれた場合、図１７に示すように、１回叩くごとに３０〜５０ｍｓ程度の加速度の強度の波形のパターンが検出される。ここで、ＣＰＵ２０は、加速度の強度の最初の波形のパターンが第１の閾値＋Ｔｈ６を超えたか否かを判定する。そして、閾値＋Ｔｈ６を超えた場合、閾値＋Ｔｈ６を超えた直後の期間ｔ５において、加速度の強度が第２の閾値−Ｔｈ７を超えた回数をカウントし、カウントした回数に応じて操作を行うようにしてもよい。具体的には、加速度の強度が閾値＋Ｔｈ６を超えた後、期間ｔ５において閾値−Ｔｈ７を２回超えた場合には次の画像を表示し、閾値−Ｔｈ７を３回超えた場合には前の画像を表示し、閾値−Ｔｈ７を４回超えた場合は表示を中止するなどのようにしてもよい。
【００３７】
この場合、ある波形のパターンが連続して検出されて操作を行った後、再び同一の波形のパターンが連続して検出された場合には、繰り返して同一の操作を行うようにしてもよい。例えば、載置面Ｇが連続して２回指１２で叩かれて次の画像を表示した場合において、再び載置面Ｇが連続して２回指１２で叩かれた場合には、更に次の画像を表示するようにしてもよい。
【００３８】
また、この加速度の強度の波形のパターンに応じた操作を行う場合において、携帯電話などの振動発生装置を備えた外部機器を使用して載置面Ｇに振動を与えた場合、所定時間内に多数の同一波形のパターンが検出される。例えば、加速度の強度が閾値＋Ｔｈ６を超えた後、ｔ５の期間において２０回の同一波形のパターンが検出される。このように、所定時間内に多数の同一波形のパターンが検出された場合には、載置面Ｇが指１２で叩かれた場合に優先して、次の画像の表示、前の画像の表示などの操作を行うようにしてもよい。これにより、図１８に示すように、プロジェクタ２０２から離れた場所にいる操作者が携帯電話５０を操作して振動させることにより、プロジェクタ２０２を遠隔操作することが可能となる。
【００３９】
また、載置面Ｇが指１２で叩かれた場合における、振動源の方向及び加速度の強度の波形のパターンに応じて操作を行うようにしてもよい。例えば、投影画像８が載置面Ｇに表示されている場合において、図１５における（１）の位置が２回連続して指１２で叩かれた場合は次の画像を表示し、（２）の位置が２回連続して指１２で叩かれた場合は前の画像を表示するようにしてもよい。
【００４０】
また、上述の各実施の形態においては、加速度センサにより筐体４に作用する加速度を検出しているが、振動を検出する機能を備えたセンサであれば種類は問わない。例えば、筐体４の底面にマイクを配置し、マイクにより載置面Ｇの音声の振動を検出するようにしてもよい。
【００４１】
また、上述の各実施の形態においては、加速度センサ２４は直接机６に接触しているが、間接的に机６に接触するようにしてもよい。例えば、筐体４を構成する剛体である部材を介して机６に接触するようにしてもよい。
【００４２】
また、上述の各実施の形態においては、筐体４及び机６の材質を明記していないが、加速度センサ２４が筐体４に作用する加速度を検出し、ＣＰＵ２０が検出した加速度の強度に基づいてプロジェクタ２の操作を行うことができれば筐体４及び机６の材質は問わない。
【００４３】
また、上述の各実施の形態においては、机６の載置面Ｇに投影画像の投影を行っているが、投影画像は、壁や床など、他の平面に投影してもよい。また、球のような曲面体や移動物体などに投影してもよい。
【００４４】
また、上述の各実施の形態においては、表示装置としてプロジェクタを例に説明したが、筐体の載置面を叩くことにより操作を行う機能を備えていれば、デジタルフォトフレームやデジタルカメラ等、他の表示装置においても本発明を適用することができる。
【符号の説明】
【００４５】
２、２００、２０２…プロジェクタ、４…筐体、６…机、８…投影画像、１０…投影窓、１２…指、２０…ＣＰＵ、２４、４６，４８…加速度センサ、２６…投影部、３８…メモリカード
【図１】
0005531751.tif 000002
【図２】
0005531751.tif 000003
【図３】
0005531751.tif 000004
【図４】
0005531751.tif 000005
【図５】
0005531751.tif 000006
【図６】
0005531751.tif 000007
【図７】
0005531751.tif 000008
【図８】
0005531751.tif 000009
【図９】
0005531751.tif 000010
【図１０】
0005531751.tif 000011
【図１１】
0005531751.tif 000012
【図１２】
0005531751.tif 000013
【図１３】
0005531751.tif 000014
【図１４】
0005531751.tif 000015
【図１５】
0005531751.tif 000016
【図１６】
0005531751.tif 000017
【図１７】
0005531751.tif 000018
【図１８】
0005531751.tif 000019